(57)【要約】【課題】媒体の搬送状態をより適切に検出し、前記搬送状態に応じた適切な処理を行う。【解決手段】媒体搬送方向において、給送ローラー１４と分離ローラー１５のニップ位置である第１位置Ｎ１と、搬送ローラー対１６のニップ位置である第２位置Ｎ２との間にあり、媒体幅方向において給送ローラー１４及び搬送ローラー対１６の両側に位置するように間隔を空けて一対で設けられた第１検出部２１と、前記媒体搬送方向において第１検出部２１と前記第２位置Ｎ２との間にあり、前記媒体幅方向において給送ローラー１４及び前記搬送ローラー対１６の両側に位置するように間隔を空けて一対で設けられた第２検出部２２を備え、一対の前記第２検出部２２は、前記媒体幅方向において、一対の前記第１検出部２１の内側に配置され、制御部２３は、第１検出部２１と第２検出部２２との検出結果に基づき、用紙の搬送を停止するか用紙の搬送を継続するかを決定する。【選択図】図５
2019029816.tif 000002
【特許請求の範囲】
【請求項１】
複数の媒体を載置可能な媒体載置部から前記媒体を給送する給送ローラーと、
前記給送ローラーとの間で前記媒体をニップして分離する分離ローラーと、
前記給送ローラーの下流側に設けられ、前記媒体を読み取る読取部と、
前記読取部の上流側に設けられ、前記給送ローラーによって給送された前記媒体を前記読取部に向けて搬送する搬送ローラー対と、
媒体搬送方向において、前記給送ローラーと前記分離ローラーのニップ位置である第１位置と、前記搬送ローラー対のニップ位置である第２位置と、の間にあり、前記媒体搬送方向と交差する媒体幅方向において、前記給送ローラー及び前記搬送ローラー対の両側に位置するように間隔を空けて一対で設けられた、前記媒体を検出する第１検出部と、
前記媒体搬送方向において、前記第１検出部と、前記第２位置と、の間にあり、前記媒体幅方向において、前記給送ローラー及び前記搬送ローラー対の両側に位置するように間隔を空けて一対で設けられた、前記媒体を検出する第２検出部と、
前記第１検出部と前記第２検出部との検出結果に基づき媒体の搬送を制御する制御部と、を備え、
一対の前記第２検出部は、前記媒体幅方向において、一対の前記第１検出部の内側に配置され、
前記制御部は、前記第１検出部と前記第２検出部との検出結果に基づき、前記媒体の搬送を停止するか前記媒体の搬送を継続するかを決定する、
ことを特徴とする画像読取装置。
【請求項２】
請求項１に記載の画像読取装置において、
一対の前記第２検出部の状態が、少なくとも一方が前記媒体を検出した状態となり、
一対の前記第１検出部の状態が、いずれも前記媒体を検出しない状態となった場合、
前記制御部は、前記媒体の搬送を継続する、
ことを特徴とする画像読取装置。
【請求項３】
請求項２に記載の画像読取装置において、
一対の前記第２検出部の状態が、一方が前記媒体を検出した状態となり、
一対の前記第１検出部の状態が、双方が前記媒体を検出した状態となった場合、
前記制御部は、前記媒体の搬送を停止する、
ことを特徴とする画像読取装置。
【請求項４】
請求項２または請求項３に記載の画像読取装置において、
一対の前記第２検出部の状態が、一方が前記媒体を検出した状態となり、
一対の前記第１検出部の状態が、前記媒体を検出した前記一方の第２検出部と同じ側の第１検出部が前記媒体を検出せず、且つ、他方の第１検出部が前記媒体を検出した状態となった場合、
前記制御部は、前記媒体の搬送を停止する、
ことを特徴とする画像読取装置。
【請求項５】
請求項１から請求項４のいずれか一項に記載の画像読取装置において、
前記媒体幅方向において一対の前記第２検出部の間であって、前記媒体搬送方向において前記第１位置の下流側であって一対の前記第２検出部の上流側に配置され、前記媒体を検出する第３検出部を備え、
前記制御部は、一対の前記第２検出部の状態が、少なくとも一方に前記媒体が検出された状態になり、前記第３検出部の状態が、前記媒体が検出されていない状態になった場合に、前記媒体の搬送を停止する、
ことを特徴とする画像読取装置。
【請求項６】
請求項５に記載の画像読取装置において、
前記第３検出部は、前記媒体搬送方向において一対の前記第１検出部の上流側に配置され、
前記制御部は、一対の前記第１検出部の状態が、少なくとも一方に前記媒体が検出された状態になり、前記第３検出部の状態が、前記媒体が検出されていない状態となった場合に、前記媒体の搬送を停止する、
ことを特徴とする画像読取装置。
【請求項７】
請求項１から請求項６のいずれか一項に記載の画像読取装置において、
前記第１検出部は、前記媒体搬送方向において、前記給送ローラーの一部と重なる位置に設けられる、
ことを特徴とする画像読取装置。
【請求項８】
請求項１から請求項７のいずれか一項に記載の画像読取装置において、
前記媒体搬送方向における前記第２検出部と前記第２位置との間の距離は、前記媒体搬送方向における前記第１検出部と前記第１位置との間の距離よりも短い、
ことを特徴とする画像読取装置。
【請求項９】
請求項１から請求項８のいずれか一項に記載の画像読取装置において、
前記給送ローラー及び前記搬送ローラー対は、前記媒体幅方向において中央領域に設けられている、
ことを特徴とする画像読取装置。
【請求項１０】
複数の媒体を載置可能な媒体載置部から前記媒体を給送する給送ローラーと、
前記給送ローラーとの間で前記媒体をニップして分離する分離ローラーと、
前記給送ローラーの下流側に設けられ、前記媒体を読み取る読取部と、
前記読取部の上流側に設けられ、前記給送ローラーによって給送された前記媒体を前記読取部に向けて搬送する搬送ローラー対と、
媒体搬送方向において、前記給送ローラーと前記分離ローラーのニップ位置である第１位置と、前記搬送ローラー対のニップ位置である第２位置と、の間にあり、前記媒体搬送方向と交差する媒体幅方向において、前記給送ローラー及び前記搬送ローラー対の両側に位置するように間隔を空けて一対で設けられた、前記媒体を検出する下流側検出部と、
前記媒体幅方向において一対の前記下流側検出部の間であって、前記媒体搬送方向において前記第１位置と前記下流側検出部との間に配置された、前記媒体を検出する上流側検出部と、
前記下流側検出部と前記上流側検出部との検出結果に基づき媒体の搬送を制御する制御部と、を備え、  
前記制御部は、一対の前記下流側検出部の状態が、少なくとも一方に前記媒体が検出された状態となり、前記上流側検出部の状態が、前記媒体が検出されていない状態となった場合に、前記媒体の搬送を停止する、
ことを特徴とする画像読取装置。
【発明の詳細な説明】
【技術分野】
【０００１】
本発明は、原稿の画像を読み取る画像読取装置に関する。
【背景技術】
【０００２】
画像読取装置の一例であるスキャナーには、読取部において読み取られる原稿（媒体）を検出する媒体センサーを複数備え、原稿のスキュー（斜行とも言う）や、紙ジャムの発生を検出可能に構成されるものがある（例えば、特許文献１）。  
特許文献１には、媒体幅方向に一対で設けられる原稿幅センサ１９と、媒体搬送方向において原稿幅センサ１９の上流側であって、媒体幅方向において、前記一対の原稿幅センサ１９の間に設けられるフィードアウトセンサ１７と、を用いて媒体のスキューの検出を行うスキュー検出手段が記載されている。前記スキュー検出手段において検出されるスキュー量が所定量を越えた場合には、原稿の搬送が停止される。
【先行技術文献】
【特許文献】
【０００３】
【特許文献１】特開２０１６−１８４８２７号公報
【発明の概要】
【発明が解決しようとする課題】
【０００４】
ここで、特許文献１において図６に示すように、搬送される原稿の幅が、一対の原稿幅センサ１９、１９の幅とほぼ同じである場合、前記原稿が少しでも前記幅方向にずれていると、片側の原稿幅センサ１９に原稿が検出されなくなることがある。  
前記原稿が前記幅方向に多少ずれていても、原稿のスキューが少なければ読み取りを行える場合があるが、片側の原稿幅センサ１９にしか原稿が検出されないと、誤検出と判断されるか、或いは非常に大きなスキューがあると判断されて、前記原稿の搬送が停止される。  
このため、一対の原稿幅センサの間隔に近い媒体幅サイズの原稿の読み取り時に、原稿を読み取れる状態にも関わらず、搬送が頻繁に停止される問題があった。
【０００５】
また、一対の原稿幅センサ１９、１９の双方に検出された場合でも、例えば、両センサー間で原稿の潰れが生じるような場合もあり、そのような状態異常は従来の構成では検出することが出来なかった。
【０００６】
本発明はこの様な状況に鑑みてなされたものであり、その目的は、媒体の搬送状態をより適切に検出し、前記搬送状態に応じた適切な処理を行うことにある。
【課題を解決するための手段】
【０００７】
上記課題を解決する為の、本発明の第１の態様に係る画像読取装置は、複数の媒体を載置可能な媒体載置部から前記媒体を給送する給送ローラーと、前記給送ローラーとの間で前記媒体をニップして分離する分離ローラーと、前記給送ローラーの下流側に設けられ、前記媒体を読み取る読取部と、前記読取部の上流側に設けられ、前記給送ローラーによって給送された前記媒体を前記読取部に向けて搬送する搬送ローラー対と、媒体搬送方向において、前記給送ローラーと前記分離ローラーのニップ位置である第１位置と、前記搬送ローラー対のニップ位置である第２位置と、の間にあり、前記媒体搬送方向と交差する媒体幅方向において、前記給送ローラー及び前記搬送ローラー対の両側に位置するように間隔を空けて一対で設けられた、前記媒体を検出する第１検出部と、前記媒体搬送方向において、前記第１検出部と、前記第２位置と、の間にあり、前記媒体幅方向において、前記給送ローラー及び前記搬送ローラー対の両側に位置するように間隔を空けて一対で設けられた、前記媒体を検出する第２検出部と、前記第１検出部と前記第２検出部との検出結果に基づき媒体の搬送を制御する制御部と、を備え、一対の前記第２検出部は、前記媒体幅方向において、一対の前記第１検出部の内側に配置され、前記制御部は、前記第１検出部と前記第２検出部との検出結果に基づき、前記媒体の搬送を停止するか前記媒体の搬送を継続するかを決定する、ことを特徴とする。
【０００８】
本態様によれば、一対の前記第２検出部が、前記媒体幅方向において、一対の前記第１検出部の内側に配置され、前記制御部は、前記第１検出部と前記第２検出部との検出結果に基づき、前記媒体の搬送を停止するか前記媒体の搬送を継続するかを決定するので、従来のスキュー検出手段の構成では、許容される媒体搬送状態であるにも関わらず異常と判断されていた搬送状態を、許容される搬送状態として検出することができる。以って、媒体の搬送が過度に停止することを抑制することができる。
【０００９】
本発明の第２の態様は、第１の態様において、一対の前記第に２検出部の状態が、少なくとも一方が前記媒体を検出した状態となり、一対の前記第１検出部の状態が、いずれも前記媒体を検出しない状態となった場合、前記制御部は、前記媒体の搬送を継続する、ことを特徴とする。
【００１０】
一対の前記第２検出部の状態が、少なくとも一方が前記媒体を検出した状態となり、一対の前記第１検出部の状態が、いずれも前記媒体を検出しない状態となった場合、一対の前記第１検出部の間の幅よりも狭い幅の媒体が搬送されていると考えられる。サイズの小さな媒体は、斜行して搬送されたとしても、媒体のダメージに繋がるような不具合が起こる可能性が低い。また、読取画像が斜めになってもデータを回転させる等により補正できる可能性が高いため、そのまま搬送して画像の読み取りを実行することができる。  
本態様によれば、小サイズの媒体が斜行して搬送された場合に搬送を停止しない構成とすることができるので、媒体の搬送が過度に停止することを抑制することができる。
【００１１】
本発明の第３の態様は、第２の態様において、一対の前記第２検出部の状態が、一方が前記媒体を検出した状態となり、一対の前記第１検出部の状態が、双方が前記媒体を検出した状態となった場合、前記制御部は、前記媒体の搬送を停止する、ことを特徴とする。
【００１２】
本態様によれば、一対の前記第２検出部の状態が、一方が前記媒体を検出した状態となり、一対の前記第１検出部の状態が、双方が前記媒体を検出した状態となった場合、前記制御部は、前記媒体の搬送を停止するので、より高い確実性で斜行した媒体の搬送を停止することができる。
【００１３】
本発明の第４の態様は、第２の態様または第３の態様において、一対の前記第２検出部の状態が、一方が前記媒体を検出した状態となり、一対の前記第１検出部の状態が、前記媒体を検出した前記一方の第２検出部と同じ側の第１検出部が前記媒体を検出せず、且つ、他方の第１検出部が前記媒体を検出した状態となった場合、前記制御部は、前記媒体の搬送を停止する、ことを特徴とする。
【００１４】
本態様によれば、一対の前記第２検出部の状態が、一方が前記媒体を検出した状態となり、一対の前記第１検出部の状態が、前記媒体を検出した前記一方の第２検出部と同じ側の第１検出部が前記媒体を検出せず、且つ、他方の第１検出部が前記媒体を検出した状態となった場合、前記制御部は、前記媒体の搬送を停止するので、より高い確実性で斜行した媒体の搬送を停止することができる。
【００１５】
本発明の第５の態様は、第１の態様から第４の態様のいずれか一つにおいて、前記媒体幅方向において一対の前記第２検出部の間であって、前記媒体搬送方向において前記第１位置の下流側であって一対の前記第２検出部の上流側に配置され、前記媒体を検出する第３検出部を備え、前記制御部は、一対の前記第２検出部の状態が、少なくとも一方に前記媒体が検出された状態になり、前記第３検出部の状態が、前記媒体が検出されていない状態になった場合に、前記媒体の搬送を停止する、ことを特徴とする。
【００１６】
例えば、前記給送ローラーと前記分離ローラーのニップ位置（第１位置）で媒体が引っ掛かって紙ジャムが発生すると、前記媒体に皺が寄って変形し、媒体の幅方向の端部側だけが前記ニップ位置（第１位置）よりも下流側に押しやられ、一対の前記第２検出部に媒体が検出されてしまう場合がある。一対の前記第２検出部に媒体が検出されると、紙ジャムが発生しているのに媒体が正常に搬送していると判断されて搬送が継続され、紙ジャムの状態が酷くなってしまう。  
本態様によれば、一対の前記第２検出部のうち、少なくとも一方に前記媒体が検出された状態になり、前記第３検出部の状態が、前記媒体が検出されていない状態になった場合に、前記媒体の搬送を停止するので、媒体幅方向の端部側が先に送られ、一対の前記第２検出部の間の領域で媒体の搬送遅れが発生する不具合を検出し、前記媒体の搬送を停止することができる。以って、前記媒体を激しく傷めるような紙ジャムが発生することを抑制することができる。
【００１７】
本発明の第６の態様は、第５の態様において、前記第３検出部は、前記媒体搬送方向において一対の前記第１検出部の上流側に配置され、前記制御部は、一対の前記第１検出部の状態が、少なくとも一方に前記媒体が検出された状態になり、前記第３検出部の状態が、前記媒体が検出されていない状態となった場合に、前記媒体の搬送を停止する、ことを特徴とする。
【００１８】
本態様によれば、より前記給送ローラーに近い位置で、媒体幅方向の端部側が先に送られ、一対の前記第１検出部の間の領域で媒体の搬送遅れが発生する不具合を検出し、前記媒体の搬送を停止することができる。
【００１９】
本発明の第７の態様は、第１の態様から第６の態様のいずれか一つにおいて、前記第１検出部は、前記媒体搬送方向において、前記給送ローラーの一部と重なる位置に設けられる、ことを特徴とする。
【００２０】
本態様によれば、前記第１検出部が、前記媒体搬送方向において、前記給送ローラーの一部と重なる位置に設けられる構成を有する画像読取装置において、第１の態様から第６の態様と同様の作用効果が得られる。
【００２１】
本発明の第８の態様は、第１の態様から第７の態様のいずれか一つにおいて、前記媒体搬送方向における前記第２検出部と前記第２位置との間の距離は、前記媒体搬送方向における前記第１検出部と前記第１位置との間の距離よりも短い、ことを特徴とする。
【００２２】
本態様によれば、前記媒体搬送方向における前記第２検出部と前記第２位置との間の距離が、前記媒体搬送方向における前記第１検出部と前記第１位置との間の距離よりも短い構成を有する画像読取装置において、第１の態様から第７の態様と同様の作用効果が得られる。
【００２３】
本発明の第９の態様は、第１の態様から第８の態様のいずれか一つにおいて、前記給送ローラー及び前記搬送ローラー対は、前記媒体幅方向において中央領域に設けられている、ことを特徴とする。
【００２４】
本態様によれば、前記媒体幅方向の中央領域をニップして媒体を給送或いは搬送する構成の画像読取装置において、第１の態様から第８の態様のいずれか一つと同じ作用効果が得られる。
【００２５】
本発明の第１０の態様に係る画像読取装置は、複数の媒体を載置可能な媒体載置部から前記媒体を給送する給送ローラーと、前記給送ローラーとの間で前記媒体をニップして分離する分離ローラーと、前記給送ローラーの下流側に設けられ、前記媒体を読み取る読取部と、前記読取部の上流側に設けられ、前記給送ローラーによって給送された前記媒体を前記読取部に向けて搬送する搬送ローラー対と、媒体搬送方向において、前記給送ローラーと前記分離ローラーのニップ位置である第１位置と、前記搬送ローラー対のニップ位置である第２位置と、の間にあり、前記媒体搬送方向と交差する媒体幅方向において、前記給送ローラー及び前記搬送ローラー対の両側に位置するように間隔を空けて一対で設けられた、前記媒体を検出する下流側検出部と、前記媒体幅方向において一対の前記下流側検出部の間であって、前記媒体搬送方向において前記第１位置と前記下流側検出部との間に配置された、前記媒体を検出する上流側検出部と、前記下流側検出部と前記上流側検出部との検出結果に基づき媒体の搬送を制御する制御部と、を備え、前記制御部は、一対の前記下流側検出部の状態が、少なくとも一方に前記媒体が検出された状態となり、前記上流側検出部の状態が、前記媒体が検出されていない状態となった場合に、前記媒体の搬送を停止する、ことを特徴とする。
【００２６】
本態様によれば、前記制御部は、一対の前記下流側検出部の状態が、少なくとも一方に前記媒体が検出された状態になり、前記上流側検出部の状態が、前記媒体が検出されていない状態となった場合に、前記媒体の搬送を停止するので、媒体幅方向の端部側が先に送られ、一対の前記下流側検出部の間の領域で媒体の搬送遅れが発生する不具合を検出し、前記媒体の搬送を停止することができる。以って、前記媒体を激しく傷めるような紙ジャムが発生することを抑制することができる。
【図面の簡単な説明】
【００２７】
【図１】本発明に係るスキャナーを示す外観斜視図。
【図２】本発明に係るスキャナーを図１とは別角度から見た斜視図。
【図３】本発明に係るスキャナーにおける用紙搬送経路を示す側断面図。
【図４】上部ユニットを下部ユニットから外した状態を示す斜視図。
【図５】第１実施形態の要部を表す概略平面図。
【図６】用紙の搬送状態の一例を示す図。
【図７】用紙の搬送状態の他の例を示す図。
【図８】用紙の搬送状態の他の例を示す図。
【図９】用紙の搬送状態の他の例を示す図。
【図１０】用紙の搬送状態の他の例を示す図。
【図１１】第２実施形態の要部を表す概略平面図。
【図１２】用紙の幅方向の端部側が先に送られて中央領域で遅れが発生する不具合の一例を示す概略平面図。
【図１３】用紙の幅方向の端部側が先に送られて中央領域で遅れが発生する不具合の他の例を示す概略平面図。
【図１４】第３実施形態の要部を表す概略平面図。
【発明を実施するための形態】
【００２８】
［第１実施形態］
まず、本発明の一実施形態に係る画像読取装置の概略について説明する。本実施形態では画像読取装置の一例として、媒体の表面及び裏面の少なくとも一面を読み取り可能なドキュメントスキャナー（以下、単にスキャナー１と称する）を例に挙げる。
【００２９】
図１は、本発明に係るスキャナーを示す外観斜視図である。図２は、本発明に係るスキャナーを図１とは別角度から見た斜視図である。図３は、本発明に係るスキャナーにおける用紙搬送経路を示す側断面図である。図４は、上部ユニットを下部ユニットから外した状態を示す斜視図である。図５は、第１実施形態の要部を表す概略平面図である。図６は、用紙の搬送状態の一例を示す図である。図７〜図１０は、用紙の搬送状態の他の例を示す図である。
【００３０】
各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、用紙Ｐが給送されていく方向（＋Ｙ方向側）を「下流」といい、これと反対の方向（−Ｙ方向側）を「上流」という。
【００３１】
■■■スキャナーの概要■■■
以下、主として図１及び図２を参照して、本発明に係るスキャナー１について説明する。  
図１及び図２に示すスキャナー１は、内部に用紙Ｐの画像を読み取る読取部２０（図３）を備える装置本体２を備えている。  
装置本体２は、下部ユニット３及び上部ユニット４を備えて構成されている。上部ユニット４は下部ユニット３に対して用紙搬送方向下流側を回動支点として開閉可能に取り付けられており、上部ユニット４を装置前面側に回動して開き、用紙Ｐの用紙搬送経路を露呈させて用紙Ｐの紙詰まりの処理を容易に行うことができる様に構成されている。
【００３２】
装置本体２の装置背面側（−Ｙ軸方向側）には、給送される用紙Ｐを載置可能な載置面１１ａを有する媒体載置部１１が設けられている。媒体載置部１１は、装置本体２に対して着脱可能に設けられている。  
また、媒体載置部１１には、用紙Ｐの給送方向（Ｙ軸方向）と交差する幅方向（Ｘ軸方向）の側縁をガイドするガイド面１３を備える左右一対のエッジガイド１２、１２が設けられている。
【００３３】
エッジガイド１２、１２は、用紙Ｐのサイズに応じてＸ軸方向にスライド移動可能に設けられている。本実施形態において、エッジガイド１２、１２は、公知のラックピニオン機構により一方のエッジガイド１２（例えば＋Ｘ側）のＸ移動に追従して、他方のエッジガイド１２（−Ｘ側）が相対する方向に移動するように構成されている。  
すなわち、媒体載置部１１において、用紙Ｐは幅方向の中央に揃えられ、所謂、センター給紙方式で給紙されるように構成されている。図１は、エッジガイド１２、１２が最も外側の位置にある状態であり、図２は、エッジガイド１２、１２が最も内側にある状態を示している。エッジガイド１２、１２の最も外側の位置（図１）は、例えばＡ３サイズの用紙の短辺幅のサイズに対応しており、エッジガイド１２、１２の最も内側の位置（図２）は、例えばカードサイズの用紙の短辺幅のサイズに対応している。
【００３４】
媒体載置部１１は、第１補助ペーパーサポート８及び第２補助ペーパーサポート９を備えている。第１補助ペーパーサポート８及び第２補助ペーパーサポート９は、図２に示す様に媒体載置部１１の内部に収納可能であり、且つ、図１に示す様に媒体載置部１１から引き出し可能に構成され、載置面１１ａの長さを調整可能になっている。
【００３５】
装置本体２は、上部ユニット４の装置前面側に、各種読み取り設定や読み取り実行の操作を行ったり、読み取り設定内容等を表示する操作パネル７を備えている。  
上部ユニット４の上部には装置本体２内部に連なる給送口６が設けられており、媒体載置部１１に載置される用紙Ｐは、給送口６から装置本体２内部に設けられる読取部２０に向けて送られる。  
また、下部ユニット３の装置前面側には、後述する排紙トレイ５が設けられている。
【００３６】
■■■スキャナーにおける用紙搬送経路について■■■
次に、主として図３を参照して、スキャナー１における用紙搬送経路について説明する。尚、図３における点線は用紙Ｐの搬送経路を示している。  
媒体載置部１１の下流側には、媒体載置部１１の載置面１１aに載置された用紙Ｐを読取部２０に向けて送る給送ローラー１４と、給送ローラー１４との間で用紙Ｐをニップして分離する分離ローラー１５を備えている。  
給送ローラー１４及び分離ローラー１５は、図４及び図５に示すように、媒体搬送方向（＋Ｙ方向）と交差する媒体幅方向（Ｘ軸方向）において中央領域に設けられている。
【００３７】
図３に戻り、媒体載置部１１の載置面１１aに載置された用紙Ｐは、下部ユニット３に対して回転可能に設けられた給送ローラー１４によりピックアップされて下流側（＋Ｙ方向側）に給送される。具体的には、用紙Ｐの載置面１１ａに対向する面に、給送ローラー１４が接触しつつ回転することにより、用紙Ｐを下流側に向けて給送する。したがって、スキャナー１において複数枚の用紙Ｐを媒体載置部１１にセットした場合には、載置面１１ａ側の用紙Ｐから順に下流側に向けて給送される。
【００３８】
給送ローラー１４の下流側には、搬送ローラー対１６と、用紙Ｐ（原稿）を読み取る読取部２０と、排出ローラー対１７とが設けられている。  
搬送ローラー対１６は、読取部２０の上流側に設けられ、給送ローラー１４によって給送された用紙Ｐを読取部２０に向けて搬送する。  
搬送ローラー対１６も、給送ローラー１４と同様に、前記媒体幅方向において中央領域に設けられている（図４及び図５）。
【００３９】
媒体搬送方向において、給送ローラー１４と分離ローラー１５のニップ位置である第１位置Ｎ１と、搬送ローラー対１６のニップ位置である第２位置Ｎ２と、の間には、用紙Ｐを検出する一対の第１検出部２１と一対の第２検出部２２とが設けられている（図５も参照）。  
本発明は、後述する制御部２３（図３）が、第１検出部２１と第２検出部２２との検出結果に基づいて用紙Ｐの搬送を制御する点に特徴を有している。第１検出部２１と第２検出部２２の具体的な構成と、制御部２３による制御については、後で詳細に説明する。
【００４０】
読取部２０は、上部ユニット４側に設けられた上部読取センサー２０ａと、下部ユニット３側に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００４１】
用紙Ｐは、読取部２０において用紙Ｐの表面及び裏面の少なくとも一方の面の画像を読み取られた後、読取部２０の下流側に位置する排出ローラー対１７にニップされて、下部ユニット３の装置前面側に設けられた排出口１８から排出される。  
尚、本実施形態において給送ローラー１４、搬送ローラー対１６、及び排出ローラー対１７は、下部ユニット３内に設けられた少なくとも１つの駆動源（不図示）により回転駆動される。また、前記駆動源（不図示）は制御部２３により制御され、以って、給送ローラー１４、搬送ローラー対１６、及び排出ローラー対１７の駆動が制御されている。すなわち、制御部２３は用紙Ｐの搬送を制御する。
【００４２】
下部ユニット３には、排出口１８から装置前面側に向けて引き出し可能に構成された排紙トレイ５が設けられている。排紙トレイ５は、下部ユニット３の底部に収納された状態（図１）と、図示を省略する装置前面側に引き出した状態とを取り得る。排紙トレイ５を引き出した状態において、排出口１８から排出された用紙Ｐを排紙トレイ５上に積載することができる。
【００４３】
■■■第１検出部及び第２検出部について■■■
本実施形態において、用紙を検出する第１検出部２１及び第２検出部２２としては、光を発する発光部（図示省略）と、前記発光部から発せられた光の反射光を受光する受光部（図示省略）を備える光センサーが用いられている。また、前記光センサーの他、超音波を発する発信部と、搬送される用紙を挟んで前記発信部と対向して設けられる受信部とを備える超音波式センサーを用いることも可能である。また、搬送される用紙の接触によって動かされる機械式レバーの変位を、光学式或いは電気接触式で検出するレバー式センサーを用いることもできる。
【００４４】
＜＜＜第１検出部の配置について＞＞＞
第１検出部２１は、図４及び図５に示すように、媒体搬送方向（＋Ｙ方向）において、給送ローラー１４と分離ローラー１５のニップ位置である第１位置Ｎ１（図５及び図３）と、搬送ローラー対１６のニップ位置である第２位置Ｎ２（図５及び図３）と、の間に設けられている。また、前記媒体幅方向（Ｘ軸方向）において、給送ローラー１４及び搬送ローラー対１６の両側に位置するように間隔を空けて一対で設けられている。  
尚、一対の第１検出部２１のうち、＋Ｘ方向側を第１検出部２１ａ、−Ｘ方向側を第１検出部２１ｂとする。以下において単に第１検出部２１という場合は、一対の双方を指すものとする。
【００４５】
また、本実施形態において第１検出部２１は、前記媒体搬送方向において、給送ローラー１４の一部と重なる位置に設けられている（図３及び図５）。  
具体的には、図５に示すように、Ｙ軸方向における位置ｙ１において、第１検出部２１と給送ローラー１４とがオーバーラップしている。
【００４６】
＜＜＜第２検出部の配置について＞＞＞
第２検出部２２は、図４及び図５に示すように、前記媒体搬送方向において、第１検出部２１と第２位置Ｎ２との間にある。また、前記媒体幅方向において、給送ローラー１４及び搬送ローラー対１６の両側に位置するように間隔を空けて一対で設けられている。  
そして、一対の第２検出部２２は、前記媒体幅方向において、一対の第１検出部２１の内側に配置されている。  
尚、一対の第２検出部２２のうち、＋Ｘ方向側を第２検出部２２ａ、−Ｘ方向側を第２検出部２２ｂとする。以下において単に第２検出部２２という場合は、一対の双方を指すものとする。
【００４７】
本実施形態において、一対の第２検出部２２は、前記媒体幅方向において、搬送ローラー対１６に対して極近くの両側に設けられており、搬送ローラー対１６のＸ軸方向の端部と一部が重なっている。具体的には、図５において、＋Ｘ方向側の第１検出部２１ａが搬送ローラー対１６の＋Ｘ方向側の端部位置ｘ１と重なり、−Ｘ方向側の第１検出部２１ｂが搬送ローラー対１６の−Ｘ方向側の端部位置ｘ２と重なっている。  
尚、第２検出部２２は、前記媒体幅方向において、搬送ローラー対１６の近くであれば、搬送ローラー対１６の端部と重なっていない位置に設けることもできる。
【００４８】
また、第１検出部２１及び第２検出部２２は、図５に示すように、媒体搬送方向（＋Ｙ方向）における第２検出部２２と第２位置Ｎ２との間の距離Ｌ２が、前記媒体搬送方向における第１検出部２１と第１位置Ｎ１との間の距離Ｌ１よりも短くなる様に配置されている。
【００４９】
更に、本実施形態において、第１検出部２１と第２検出部２２は、Ａ６サイズの用紙（図６の符号Ｐ２）の短辺幅の領域内に配置されている。第２検出部２２は、Ａ６サイズに近いサイズであって、Ａ６サイズの用紙よりも更に小さいサイズの用紙（例えば、カードや名刺サイズ：図６の符号Ｐ１）の短辺幅の領域内に配置されている。  
一対の第１検出部２１は、できるだけ一対の第２検出部２２のすぐ外側に配置されていることが好ましい。
【００５０】
■■■制御部による制御について■■■
制御部２３は、前述したように、第１検出部２１と第２検出部２２との検出結果に基づき媒体の搬送を制御する。本実施形態において、制御部２３は、第１検出部２１と第２検出部２２との検出結果に基づき、用紙Ｐの搬送を停止するか用紙Ｐの搬送を継続するかを決定する。以下、具体的な例を挙げて制御部２３による制御について説明する。
【００５１】
＜＜＜制御部による基本的な斜行の判断と制御について＞＞＞
用紙先端が斜めに搬送される斜行（スキュー）は、第２検出部２２ａ、２２ｂにおける用紙の検出の有無により判断される。  
用紙が斜行することなく真っ直ぐに搬送されている場合、図６に示すように、第２検出部２２ａ、２２ｂに用紙が検出された状態となる。  
用紙が斜行して搬送されると、図７に示すように、第２検出部２２ａ、２２ｂのうちのいずれか一方に用紙が検出された状態となる。より具体的には、第２検出部２２ａ、２２ｂのうちのいずれか一方に用紙が検出されてから、所定時間内に他方に用紙が検出されれば、正常な搬送状態として制御部２３は搬送を継続し、所定時間内に他方に用紙が検出されなければ、斜行と判断されて制御部２３が用紙の搬送を停止する。  
従って前記「所定時間」は斜行であるか否かを判断する為の時間であり、具体的な時間は、装置構成や装置寸法等に応じて当業者が適宜設定し得るものである。
【００５２】
ここで、媒体幅サイズがある程度広い用紙は、当該媒体が多少、前記媒体幅方向にずれても、第２検出部２２ａ、２２ｂの双方に検出され得るが、媒体幅サイズが一対の第２検出部２２の幅に近い用紙Ｐ１が前記媒体幅方向にずれると、一対の第２検出部２２のうちのいずれか一方にしか検出されなくなる場合がある。例えば、図８に示すように、用紙Ｐ１が＋Ｘ方向にずれた状態で搬送されると、正常に真っ直ぐに搬送されたとしても、第２検出部２２ａには検出されるが、第２検出部２２ｂには検出されなくなる。  
用紙Ｐ１が前記媒体幅方向にずれただけで、斜行することなく真っ直ぐに搬送されている場合の第２検出部２２の検出状態（図８）、すなわち、一対の第２検出部２２のうちのいずれか一方（図８において第２検出部２２ａ）のみが用紙Ｐ１を検出し、前記所定時間内に他方（図８において第２検出部２２ｂ）が検出されない状態は、用紙の斜行が生じた場合（図７）と同じであるため、図８の用紙Ｐ１の状態は斜行と判断されてしまい、誤検出になる。媒体幅サイズが一対の第２検出部２２の幅に近い用紙Ｐ１では、この斜行の誤検出により、用紙の停止が頻繁になる場合がある。
【００５３】
また、媒体幅サイズが一対の第２検出部２２の幅に近い小サイズの用紙の場合、斜行して読取部２０における画像読取が行われ、読取画像が斜めになっても、データを回転させる等により補正できる可能性が高いので、そのまま搬送しても問題がない場合もある。また、小サイズの用紙は、斜行して搬送されたとしても、用紙のダメージに繋がるような不具合が起こる可能性が低いのでそのまま搬送できる場合がある。しかし、用紙が斜行していると判断されると搬送は停止されるので、これによっても停止の頻度は増す。  
このように、小サイズの用紙における斜行の誤検出による搬送の停止や、補正により有効な画像を読み取ることができるが、斜行と判断されて搬送が停止してしまう場合を救済するため、制御部２３は以下の制御を行う。
【００５４】
＜＜制御部が第１検出部及び第２検出部の検出結果に基づいて搬送を継続する場合＞＞
すなわち、制御部２３は、図７に示す用紙Ｐ１や図８に示す用紙Ｐ１のように、一対の第２検出部２２の状態が、少なくとも一方が用紙Ｐ１を検出した状態となり、一対の第１検出部２１の状態が、いずれも用紙Ｐ１を検出しない状態となった場合、用紙Ｐ１の搬送を継続する。  
つまり、第２検出部２２ａ、２２ｂのうちのいずれか一方に用紙が検出されてから、前記所定時間内に他方に用紙が検出されない場合（即ち許容される斜行の範囲外となった場合）でも、一対の第１検出部２１の状態が、いずれも用紙Ｐ１を検出しない状態であれば、用紙Ｐ１の搬送を継続する。
【００５５】
このことによって、小サイズの用紙Ｐ１が前記媒体幅方向にずれて搬送された場合（図８）や、斜行して搬送された場合（図７）に搬送を停止しない構成とすることができるので、媒体の搬送が過度に停止することを抑制することができる。
【００５６】
ところで、図７において用紙Ｐ２（Ａ６サイズ）は、小サイズの用紙Ｐ１よりも媒体幅サイズが大きく、一対の第１検出部２１の幅よりも媒体幅が大きい用紙である。このサイズの用紙Ｐ２が少し傾いた状態で搬送されると、図７に示すように、一対の第２検出部２２の状態は、一方（図７において第２検出部２２ａ）が検出した状態となり、一対の第１検出部２１の状態は、双方が検出した状態になる。この状態になった場合は、後で説明するように制御部２３は、用紙の搬送を停止する。
【００５７】
ここで、用紙Ｐ２が大きく傾いていると、図１０において二点鎖線で示すＰ２のように、一対の第２検出部２２の状態が、一方（第２検出部２２ａ）が用紙Ｐ２を検出した状態となり、一対の第１検出部２１の状態が、いずれも用紙Ｐ２を検出しない状態となるので、用紙Ｐ２の搬送は継続される。しかし、用紙Ｐ２（二点鎖線）の搬送が継続されて時間が経過すると、用紙Ｐ２は図１０において点線で示す用紙Ｐ２の位置まで搬送され、一対の第２検出部２２の状態は、一方（１０において第２検出部２２ａ）が検出した状態となり、一対の第１検出部２１の状態は、双方が検出した状態になるので、制御部２３の制御により、用紙の搬送は停止される。
【００５８】
尚、一対の第２検出部２２の状態が、第２検出部２２ａ、２２ｂの双方が前記媒体を検出した状態となった場合（即ち許容される斜行の範囲内となった場合）には、一対の第１検出部２１の状態は、第１検出部２１ａ、２１ｂの双方が用紙を検出した状態（図６の用紙Ｐ２の状態）、第１検出部２１ａか第１検出部２１ｂのいずれか一方が用紙を検出した状態（図８の用紙Ｐ２の状態）、第１検出部２１ａ、２１ｂの双方が用紙を検出しない状態（図６の用紙Ｐ１の状態）、のいずれの検出状態でも、制御部２３は、前記媒体の搬送を継続することができる。
【００５９】
＜＜制御部が第１検出部及び第２検出部の検出結果に基づいて搬送を停止する場合＞＞
また、制御部２３は、図７に示す用紙Ｐ２ように、一対の第２検出部２２の状態が、一方（例えば、図７において第２検出部２２ａ）のみが用紙を検出した状態となり、一対の第１検出部２１の状態が、第１検出部２１ａ、２１ｂの双方が用紙を検出した状態となった場合、用紙の搬送を停止する。  
より具体的には、例えば、図７における第２検出部２２ａが用紙を検出してから前記所定時間内に、第２検出部２２ｂに用紙が検出されない場合（即ち許容される斜行の範囲外となった場合）に、第１検出部２１ａ、２１ｂの双方が用紙を検出した状態である場合に、用紙の搬送を停止する。
【００６０】
一対の第１検出部２１の状態が、第１検出部２１ａ、２１ｂの双方が用紙を検出した状態である場合、搬送されている用紙は、ある程度の（少なくとも一対の第１検出部２１の間の幅より広い）幅がある用紙であり、一対の第２検出部２２の状態が、一方のみが用紙を検出した場合（即ち許容される斜行の範囲外となった場合）には、図７に示す用紙Ｐ２ように斜行していると考えられる。したがって、このような場合に用紙の搬送を停止することにより、用紙が斜行して搬送されることを抑制し、紙ジャムの発生や画像読取の失敗の虞を低減できる。
【００６１】
尚、制御部２３が「用紙Ｐの搬送を停止する」場合、制御部２３は、給送ローラー１４の駆動をオフにするか、給送ローラー１４及び搬送ローラー対１６の双方の駆動をオフにすることにより、用紙Ｐを停止することができる。  
給送ローラー１４及び搬送ローラー対１６の双方の駆動をオフにすれば、より確実に用紙Ｐの搬送が停止されるが、例えば、複数枚の用紙の連続読み取りを行う場合に、先行媒体の画像読取中に、後続媒体に停止の必要が生じた場合には、給送ローラー１４の駆動のみをオフにして、先行媒体の搬送ローラー対１６による搬送は継続してもよい。
【００６２】
図７に示す用紙Ｐ２は、媒体幅サイズが一対の第１検出部２１の幅に近い。そのような用紙Ｐ２が図７の用紙Ｐ２よりも＋Ｘ方向（媒体幅方向）にずれて、更に、図７の用紙Ｐ２と同様の斜行状態で搬送されると（図９の用紙Ｐ２の状態）、一対の第２検出部２２の状態が、一方（例えば、図９において第２検出部２２ａ）のみが用紙を検出した状態となり、一対の第１検出部２１の状態が、用紙を検出した前記一方の第２検出部２２ａと同じ側の第１検出部２１ａが用紙を検出せず、且つ、他方の第１検出部２１ｂが用紙を検出した状態となる場合がある。
【００６３】
制御部２３は、一対の第２検出部２２の状態が、一方（例えば、図９において第２検出部２２ａ）のみが用紙を検出した状態となり、一対の第１検出部２１の状態が、用紙を検出した前記一方の第２検出部２２ａと同じ側の第１検出部２１ａが用紙を検出せず、且つ、他方の第１検出部２１ｂが用紙を検出した状態となった場合、用紙の搬送を停止するので、図９に示す用紙Ｐ２のような斜行状態で搬送されることを抑制し、紙ジャムの発生や画像読取の失敗の虞を低減できる。
【００６４】
以上のように、制御部２３が、第１検出部２１と第２検出部２２との検出結果に基づき、用紙の搬送を停止するか用紙の搬送を継続するかを決定することにより、用紙の搬送状態が、許容される搬送状態であると判断できる場合を増やし、用紙搬送の頻繁な停止を抑制することができる。
【００６５】
尚、媒体載置部１１に、サイズの異なる複数の用紙を重ねて載置する、所謂、混載の状態で用紙をセットする場合、前記サイズの異なる複数の用紙を、幅方向において一方側の端部側で揃えるよりも、それぞれのサイズの用紙の幅方向の中央位置を揃える方が、用紙位置が幅方向にずれることに由来する誤検出を低減できる。
【００６６】
本実施形態では、給送ローラー１４が媒体幅方向の中央領域に設けられ、エッジガイド１２、１２が相対する方向に移動し、用紙Ｐが幅方向の中央に揃えられるセンター給紙方式のスキャナー１について説明したが、例えば一方のエッジガイド１２が媒体載置部１１に固定されており、他方のエッジガイド１２が媒体載置部１１に対して移動するように構成された片寄せ給紙方式のスキャナーに本発明の構成を採用することもできる。
【００６７】
また、第１検出部２１は、エッジガイド１２、１２に設ける構成とすることができる。例えば、エッジガイド１２、１２の下流側の端部１９（図３）をＹ軸方向において第１位置Ｎ１よりも下流側まで延設し、延設した端部１９に第１検出部２１を設けることができる。
【００６８】
［第２実施形態］
第２実施形態について、図１１〜図１３を参照して説明する。図１１は、第２実施形態の要部を表す概略平面図である。図１２は、用紙の幅方向の端部側が先に送られて中央領域で遅れが発生する不具合の一例を示す概略平面図である。図１３は、用紙の幅方向の端部側が先に送られて中央領域で遅れが発生する不具合の他の例を示す概略平面図である。  
本実施形態以降の実施形態において、第１実施形態と同一の構成については同一の符号を付し、その構成の説明は省略する。  
第２実施形態は、図１１に示すように、媒体搬送方向において、給送ローラー１４と分離ローラー１５のニップ位置である第１位置Ｎ１と、搬送ローラー対１６のニップ位置である第２位置Ｎ２と、の間に、用紙を検出する下流側検出部３１と、上流側検出部３２と、を備えている。制御部２３は、下流側検出部３１と上流側検出部３２との検出結果に基づき媒体の搬送を制御する。
【００６９】
本実施形態において、用紙を検出する下流側検出部３１と上流側検出部３２としては、第１実施形態における第１検出部２１及び第２検出部２２と同様の光センサーが用いられている。また、前記光センサーの他、第１実施形態において説明した前記超音波式センサーや、前記レバー式センサー等を用いることも可能である。
【００７０】
下流側検出部３１は、前記媒体幅方向において、給送ローラー１４及び搬送ローラー対１６の両側に位置するように間隔を空けて一対で設けられている。＋Ｘ方向側が下流側検出部３１ａであり、−Ｘ方向側が下流側検出部３１ｂである。  
下流側検出部３１は、第１実施形態における第２検出部２２と同様、搬送ローラー対１６の前記媒体幅方向の端部の極近傍に配置されている。
【００７１】
上流側検出部３２は、前記媒体幅方向において一対の下流側検出部３１の間であって、前記媒体搬送方向において第１位置Ｎ１と下流側検出部３１との間に配置されている。  
本実施形態において、上流側検出部３２は、前記媒体搬送方向（＋Ｙ方向）におけるｙ２（図１１）の位置で給送ローラー１４と重なる様に設けられているが、例えば符号３２ａで示す位置、すなわち、給送ローラー１４と重ならない位置に設けることもできる。
【００７２】
次に、図１２及び図１３を参照して、制御部２３の、下流側検出部３１と上流側検出部３２との検出結果に基づく用紙搬送制御について説明する。  
制御部２３は、一対の下流側検出部３１の状態が、少なくとも一方に用紙が検出された状態となり、上流側検出部３２の状態が、用紙が検出されていない状態となった場合に、用紙の搬送を停止する。  
「一対の下流側検出部３１の状態が、少なくとも一方に用紙が検出された状態」は、一対の下流側検出部３１の一方（例えば、下流側検出部３１ａ）に用紙が検出されてから、前記所定時間内に他方（例えば、下流側検出部３１ｂ）が検出される場合と、一対の下流側検出部３１の前記一方に用紙が検出されてから、前記所定時間内に前記他方が検出されない場合と、の双方の場合を含む。
【００７３】
ここで、媒体載置部１１（図１）にセットされた用紙Ｐが給送ローラー１４と分離ローラー１５にニップされて分離される際、分離位置である第１位置Ｎ１（ニップ位置）で用紙Ｐが引っかかる場合がある。第１位置Ｎ１で用紙Ｐが引っかかり、給送ローラー１４が駆動され続けると、第１位置Ｎ１の周辺で用紙Ｐが蛇腹状に寄せられる場合がある。第１位置Ｎ１の周辺、つまり、用紙Ｐの幅方向の中央付近が蛇腹状になると、図１２に示すように、用紙Ｐの幅方向の両端が媒体搬送方向下流側に引き込まれるように湾曲する。  
用紙Ｐの中央付近が第１位置Ｎ１で引っかかったまま、湾曲した用紙Ｐの両端が搬送ローラー対１６にニップされて搬送されると、破れたり、酷い皺ができる等の大きなダメージが用紙Ｐに加わる虞がある。
【００７４】
また、媒体載置部１１（図１）に、図１３のように、例えば、ステープラーの針Ｓで留められた状態の用紙Ｐを誤ってセットしてしまった場合、最上位の用紙Ｐは、針Ｓで留められていない−Ｘ方向側のみが給送され、針Ｓで留められた＋Ｘ方向側が給送されずに給送ローラー１４と分離ローラー１５のニップ位置（第１位置Ｎ１）よりも上流側に残ってしまう。  
この場合も、給送ローラー１４が駆動され続けると、用紙Ｐに大きなダメージを与えてしまう虞がある。
【００７５】
本実施形態において、一対の下流側検出部３１の状態が、少なくとも一方に用紙が検出された状態となり、上流側検出部３２の状態が、用紙が検出されていない状態となった場合、用紙Ｐが図１２に示すような状態、或いは、図１３に示すような状態となっていると考えられる。このため、制御部２３は、用紙Ｐの搬送を停止する様になっている。  
このことによって、図１２や図１３のように、用紙Ｐの幅方向の少なくとも一方の端部が先に送られて、中央領域（一対の下流側検出部３１の間の領域）で搬送遅れが発生する不具合を検出し、用紙Ｐの搬送を停止することができる。  
以って、用紙Ｐを激しく傷めるような搬送状態となることを抑制することができる。
【００７６】
［第３実施形態］
第３実施形態について、図１４を参照して説明する。図１４は、第３実施形態の要部を表す概略平面図である。  
第３実施形態は、第１実施形態において説明した第１検出部２１及び第２検出部２２に加え、用紙を検出する第３検出部３３を備えている。
【００７７】
第３検出部３３は、第２実施形態における上流側検出部３２と同様の構成を備えている。  
すなわち、第３検出部３３は、図１４に示すように、前記媒体幅方向において一対の第２検出部２２（第２実施形態における一対の下流側検出部３１に対応）の間であって、前記媒体搬送方向において第１位置Ｎ１の下流側であって一対の第２検出部２２の上流側に配置されている。
【００７８】
第３実施形態は、第１検出部２１、第２検出部２２、及び第３検出部３３を備えているので、制御部２３が、第１実施形態において説明した第１検出部２１と第２検出部２２の検出状態に基づく制御と、第２実施形態において説明した第２検出部２２（下流側検出部３１）と第３検出部３３（上流側検出部３２）の検出状態に基づく制御と、の双方を実行できる。
【００７９】
また、本実施形態において、第３検出部３３は、前記媒体搬送方向において一対の第１検出部２１の上流側に配置されている。そして、一対の第１検出部２１の状態が、少なくとも一方に用紙が検出された状態になり、第３検出部３３の状態が、用紙が検出されていない状態となった場合に、制御部２３は用紙の搬送を停止する。  
この制御により、第２検出部２２よりも給送ローラー１４に近い位置で、用紙の幅方向の端部側が先に送られて中央領域で遅れが発生する不具合を検出し、前記媒体の搬送を停止することができるので、用紙へのダメージを一層低減できる。  
尚、第３検出部３３は、図１４において符号３３ａで示す位置、すなわち、媒体搬送方向において、第２検出部２２と第１検出部２１との間の位置に設けることもできる。
【００８０】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００８１】
１…スキャナー（画像読取装置）、２…装置本体、３…下部ユニット、
４…上部ユニット、５…排紙トレイ、６…給送口、７…操作パネル、
８…第１補助ペーパーサポート、９…第２補助ペーパーサポート、
１１…媒体載置部、１２…エッジガイド、１３…ガイド面、１４…給送ローラー、
１５…分離ローラー、１６…搬送ローラー対、１７…排出ローラー対、
１８…排出口、２０…読取部、２０ａ…上部読取センサー、
２０ｂ…下部読取センサー、２１…第１検出部、２２…第２検出部、２３…制御部、
３１…下流側検出部、３２…上流側検出部、３３…第３検出部、
Ｐ、Ｐ１、Ｐ２…用紙（媒体）、Ｎ１…第１位置、Ｎ２…第２位置
【図１】
2019029816.tif 000003
【図２】
2019029816.tif 000004
【図３】
2019029816.tif 000005
【図４】
2019029816.tif 000006
【図５】
2019029816.tif 000007
【図６】
2019029816.tif 000008
【図７】
2019029816.tif 000009
【図８】
2019029816.tif 000010
【図９】
2019029816.tif 000011
【図１０】
2019029816.tif 000012
【図１１】
2019029816.tif 000013
【図１２】
2019029816.tif 000014
【図１３】
2019029816.tif 000015
【図１４】
2019029816.tif 000016